(57)【要約】【課題】  情報媒体の読取操作を簡略化し、情報読取終了までの時間の短縮が可能な情報媒体読取装置を提供することが出来る。【解決手段】  突出部を持つ情報媒体載置部１０７を持つ情報媒体読取装置で、その突出部内上部に無線アンテナ１０５を内蔵する。また機械読取領域の読取窓１０１を情報媒体載置部１０７の突出部の斜面にあたる載置面に設ける。情報媒体載置部１０７の側面には情報媒体位置決め部材１１１を、情報媒体載置部１０７の下端近傍で本体部１０９上部には情報媒体すべり止め部材１１２を持つ。本体部１０９の上面および情報媒体載置部１０７の表面で情報媒体の載置部分にスイッチ１０２ａ、１０２ｂ、１０２ｃを設け、冊子を載置させることにより読取動作を開始する。【選択図】  図１
2008148211.tif 000002
【特許請求の範囲】
【請求項１】
本体部と
この本体部の上部に設けられ、機械読取領域と無線通信用ＩＣとを具備する情報媒体の綴
じ部を載置するための突出部を有する情報媒体載置部と、
この情報媒体載置部における前記情報媒体の載置面に設けられた前記機械読取領域を読み
込むための読取窓と、
この読取窓を介して前記情報媒体の機械読取領域を読込む撮像手段と、
前記情報媒体載置部の突出部内に設けられ、前記情報媒体のＩＣと無線通信を行う無線ア
ンテナと、
この無線アンテナで受信した情報を処理するＩＣリーダライタ処理部と、
前記撮像手段で読み込んだ情報に基づいて前記ＩＣリーダライタ処理部から出力された情
報を処理する制御部と
を有することを特徴とする情報媒体読取装置。
【請求項２】
前記情報媒体載置部が山型の形状を有する
ことを特徴とする請求項１記載の情報媒体読取装置。
【請求項３】
前記情報媒体載置部の側面に、前記情報媒体の載置位置を決定する情報媒体位置決め部
材をさらに有することを特徴とする請求項１又は請求項２のいずれか１項に記載の情報媒
体読取装置。
【請求項４】
前記本体部と前記情報媒体載置部の接続部近傍に情報媒体が滑ることを防止する情報媒
体すべり止め部材
をさらに有することを特徴とする請求項１乃至請求項３のいずれか１項に記載の情報媒体
読取装置。
【請求項５】
前記本体部と前記情報媒体載置部との接続部、前記情報媒体載置部と前記情報媒体位置
決め部材との接続部、又は前記本体部と前記情報媒体すべり止めの接続部の少なくとも一
箇所に情報読取を開始するためのスイッチ
をさらに有することを特徴とする請求項４に記載の情報媒体読取装置。
【発明の詳細な説明】
【技術分野】
【０００１】
本発明は、情報媒体読取装置に関する。
【背景技術】
【０００２】
従来、機械読取領域を持つ冊子類の情報読取装置は、平面の情報媒体載置部の上に開い
た冊子を載置して、冊子の情報の読取を行ってきた。
【０００３】
冊子の載置に際しては、冊子の正確な位置決めを行う為に平面の情報媒体載置部の上に
L字型のガイドを設けることによって冊子の２辺を突き当て、冊子の位置を定める技術が
知られている。（例えば特許文献１参照）
【特許文献１】特開２００５−３０３６７２号公報
【発明の開示】
【発明が解決しようとする課題】
【０００４】
しかしながら、従来の装置では情報読取装置は情報媒体載置部が平面であるため、冊子
状の情報媒体を上から手で押さえて読み取らなければならなかった。また近年、情報媒体
に無線通信用のICが設けられた物が増え、そのため従来の装置を使用し、無線通信用のIC
の情報を読み取ろうとすると情報媒体に設けられたＩＣの位置によっては機械読取領域を
読み取った後、ＩＣ情報を読み取る為に情報媒体を１８０度回転して再び載置し直す必要
があった。そのため、操作が煩雑化し、その分時間を費やしていた。
【０００５】
本発明は上記課題を解決するためになされたもので、その目的は情報媒体の読取操作を
簡略化し、情報読取終了までの時間の短縮が可能な情報媒体読取装置を提供することを目
的とする。
【課題を解決するための手段】
【０００６】
上記目的を達するために、本発明による情報媒体読取装置は、本体部と、この本体部の
上部に設けられ、機械読取領域と無線通信用ＩＣとを具備する情報媒体の綴じ部を載置す
るための突出部を有する情報媒体載置部と、この情報媒体載置部における前記情報媒体の
載置面に設けられた前記機械読取領域を読み込むための読取窓と、この読取窓を介して前
記情報媒体の機械読取領域を読込む撮像手段と、前記情報媒体載置部の突出部内に設けら
れ、前記情報媒体のＩＣと無線通信を行う無線アンテナと、この無線アンテナで受信した
情報を処理するＩＣリーダライタ処理部と、前記撮像手段で読み込んだ情報に基づいて前
記ＩＣリーダライタ処理部から出力された情報を処理する制御部とを有することを特徴と
する。
【発明の効果】
【０００７】
本発明によれば、情報媒体の読取操作を簡略化し、情報読取終了までの時間の短縮が可
能な情報媒体読取装置を提供することが出来る。
【発明を実施するための最良の形態】
【０００８】
以下、図を参照しながら本発明の実施の形態の情報媒体読取装置について説明する。
【０００９】
本実施の形態では、情報媒体読取装置の中で特に山型形状を取る情報媒体載置部を持ち
、かつ冊子を読取る場合の情報媒体読取装置について説明する。
【００１０】
図１は実施例の外形を示した斜視図、図２は図１で示す（Ａ）方向からみた平面図であ
る。なお以降（Ａ）方向をこの実施例の正面とする。図３は実施例を上方向から見た平面
図である。図４は実施例の側面に平行な断面図であり、情報媒体載置部１０７に冊子を載
置した状態での、情報媒体載置面の側面と平行に切った断面図である。
【００１１】
情報媒体読取装置は、本体部１０９の上部に設けられ、本体部１０９と一体となってい
る山型形状に突出部した情報媒体載置部１０７を持つ。山型の形状とは、三角柱の側面を
底面として本体部１０９の上部に載せた形をさす。いわゆる三角柱の側面で本体部と接続
していない２つの側面を以降は情報媒体載置部１０７の載置面と呼び、いわゆる三角柱で
上面及び底面となる部分を以降は情報媒体載置部１０７の側面と呼び、この側面の形状が
二等辺三角形を形成している。この二等辺三角形の斜辺の長さＬは冊子の大きさを考慮し
、概ね冊子の綴じ部から対向する辺までの一辺の長さと同じである。情報媒体載置部１０
７の素材は突出部内に無線アンテナ１０５（図４参照）を内蔵させるため、無線アンテナ
１０５の電波を遮ることの無い材料（例えばプラスチック等）を使用する。
【００１２】
また、情報媒体載置部１０７のスイッチを載置してある情報媒体載置部１０７の載置面
には読取窓１０１が設けられている。読取窓１０１は冊子の機械読取領域の位置に合わせ
て、情報媒体載置部１０７の下端から５ｃｍのまでの高さに設けられている。
【００１３】
読取窓１０１の内側には撮像手段としてのカメラ１０３を載置が設けられ、このカメラ
１０３は読取窓１０１を介して、機械読取領域を撮影するようになっている。
【００１４】
情報媒体載置部１０７の側面の片側には情報媒体位置決め部材１１１が設けられている
。情報媒体位置決め部材１１１は、硬い素材を使用し、情報媒体載置部１０７と同様プラ
スチック等が使用される。この情報媒体位置決め部材１１１によって冊子を情報媒体載置
部１０７に載置するときの載置位置の規制、すなわち冊子が情報媒体載置部１０７上を滑
り、情報媒体載置部１０７の側面より冊子がはみ出すことを防ぐことができ、また冊子の
持つ機械読取領域部分を読取窓１０１に正確に位置決めできる効果を有する。情報媒体位
置決め部材１１１の高さは、情報媒体載置部１０７の載置面より、冊子の厚さよりも高い
値となっている。なお、情報媒体位置決め部材１１１は他方側にも設けることで、情報媒
体載置部１０７の両側面に付ける等の応用がある。
【００１５】
本体部１０９と情報媒体載置部１０７の読取窓１０１が設けられた側の接続部にはスイ
ッチ１０２a、１０２ｂが一定間隔をあけて２つ設置されている。それらスイッチ１０２
ａ、１０２ｂの間隔は５センチ程度で、また情報媒体載置部１０７の側面から１０２ａ、
１０２ｂまでの距離はそれぞれ３センチ程度離れている。また情報媒体載置部１０７と情
報媒体位置決め部材１１１との接続部にはスイッチ１０２ｃが設置されており、その位置
は斜面の半分の高さに設けられている。これらのスイッチ１０２a、１０２ｂ、１０２ｃ
は冊子が正しく載置されていなければ冊子によって全てのスイッチを押すことが出来ない
構成になっている。これらのスイッチ１０２ａ、１０２ｂ、１０２ｃは押下されている間
はスイッチが入り続ける構造となっており、全て押下された時点でカメラが一度起動する
構成である。したがって、冊子を情報媒体載置部１０７に正しく載置しなければ次の読取
行程であるカメラの起動がされない。これは、冊子の載置位置がずれていたため機械読取
領域が正確に読取れなかった等の誤作動を防ぐ。
【００１６】
ＩＣリーダライタ１０８は冊子に設けられたＩＣと無線通信を行う無線アンテナ１０５
と、この無線アンテナで受信した情報を処理するＩＣリーダライタ処理部１０６で構成さ
れる。無線アンテナ１０５は情報媒体載置部１０７の突出部の上部に内蔵されており、冊
子の綴じ部の両側のどちらにＩＣを設けても読み取れるよう、その位置は図４に示す断面
図で見て情報媒体載置部１０７断面の頂点から底辺に引いた垂線上に設けられている。
【００１７】
また本体部１０９内の底面部分にはカメラ１０３からの情報とＩＣリーダライタ１０８
からの情報を処理する制御部１０４が内蔵されている。
【００１８】
情報媒体すべり止め部材１１２は本体部１０９上部で情報媒体載置部１０７の載置面と
本体部１０９の接続部近傍に設置されている。近傍とは冊子の通常の表紙の厚さより少し
厚く、冊子が差し込みやすい程度である。これは冊子を開いて情報媒体載置部１０７に載
置したとき、冊子が開きすぎて読取窓１０１から機械読取領域が離れることを防ぐ。
【００１９】
図５はＩＣが設けられた冊子３０４を示す図であり、冊子はＩＣを読取るためのキーの
情報が記録された機械読取領域３０１と無線通信用のＩＣ３０２とを有しておいる。機械
読取領域には文字のみならず、バーコードや図形等も記載されている。図６はＩＣが設け
られた冊子の別の例である冊子４０４を示すもので、無線通信用のＩＣ４０２が設けられ
た位置が機械読取領域４０１を有するページ側にある点が異なる。慣例的にIC３０２、４
０２は機械読取領域よりも冊子の閉じている部分である綴じ部３０３、４０３周辺に設け
られている。
【００２０】
図７は情報媒体読取装置の構成を示すブロック図であり冊子３０４、４０４の機械読取
領域３０１、４０１を撮影するカメラ１０３、ＩＣ情報を読取るＩＣリーダライタ１０８
、カメラ１０３とＩＣリーダライタ１０８からの情報が入力され、装置を制御する制御部
１０４、上位装置と通信する通信インターフェイス（interface）１１３及び電源部１１
０にて構成されている。制御部１０４は、カメラ１０３からの情報を受け取り、機械読取
領域の読取り結果をキーの情報としてＩＣリーダライタ１０８を介して無線用ＩＣ３０２
、４０２から情報を読み取る。なお電源部１１０は制御部１０４をはじめ通信インターフ
ェイス１１３、カメラ１０３、ＩＣリーダライタ１０８に電気を供給するものである。
【００２１】
図８は本装置の動作を示すフローチャートである。本フローチャートでは図５の冊子３
０４載置時のフローチャートを示す。
【００２２】
まずＩＣが設けられた冊子３０４が本装置に載置される（S1）。載置する際は読取窓１
０１に機械読取領域３０１が対向するように冊子３０４を広げて、開いたページを下向き
にするとともに、冊子３０４の綴じ部３０３を情報媒体載置部１０７の山型形状の突出部
の頂点にあわせ、冊子３０４を載せるように情報媒体載置部１０７に載置する。
【００２３】
このとき冊子３０４自体の重さで情報媒体載置部１０７の山型形状を挟むように装置に
載置されることでスイッチ１０２ａ、１０２ｂ、１０２ｃを押下することとなるが、全て
のスイッチ１０２ａ、１０２ｂ、１０２ｃが押下されているかチェックされる（Ｓ２ａ）
。全てのスイッチ１０２ａ、１０２ｂ、１０２ｃが押下されていなければ、全てのスイッ
チ１０２ａ、１０２ｂ、１０２ｃが押下されるよう冊子の位置を修正する（Ｓ２ｂ）。
【００２４】
スイッチ１０２ａ、１０２ｂ、１０２ｃが全て押下されることにより、冊子２０４が正
確な位置に載置されたことが確認され、カメラ１０３の処理が開始される（S３）。カメ
ラ１０３による機械読取領域の撮影画像は制御部１０４に送られて処理され、その情報が
キーとなる（Ｓ４）。ＩＣリーダライタ１０８は制御部１０４からのキーを使用してＩＣ
が設けられた冊子３０４の機械読取領域３０１とは反対頁側にあるＩＣ３０２から無線ア
ンテナ１０５を通じて、情報を読取る（S５）。通信インターフェイス１１３は読取った
ＩＣ３０２の情報を制御部１０４より上位装置に送信する（S６）。上位装置では送信さ
れた情報を画面上に表示する（S７）。
【００２５】
図６のタイプのＩＣが設けられた冊子４０４を使用した場合も前述と同様に処理される
。
【００２６】
すなわちＩＣが設けられた冊子４０４が本装置に載置される（S1）。載置する際は読取
窓１０１に機械読取領域４０１が対向するように冊子４０４を広げて、開いたページを下
向きにするとともに、冊子４０４の綴じ部４０３を情報媒体載置部１０７の山型形状の突
出部の頂点にあわせ、冊子４０４を載せるように情報媒体載置部１０７に載置する。
【００２７】
このとき冊子４０４自体の重さで情報媒体載置部１０７の山型形状を挟むように装置に
載置されることでスイッチ１０２ａ、１０２ｂ、１０２ｃを押下することとなるが、全て
のスイッチ１０２ａ、１０２ｂ、１０２ｃが押下されているかチェックされる（Ｓ２ａ）
。全てのスイッチ１０２ａ、１０２ｂ、１０２ｃが押下されていなければ、全てのスイッ
チ１０２ａ、１０２ｂ、１０２ｃが押下されるよう冊子の位置を修正する（Ｓ２ｂ）。
【００２８】
スイッチ１０２ａ、１０２ｂ、１０２ｃが全て押下されることにより、冊子４０４が正
確な位置に載置されたことが確認され、カメラ１０３の処理が開始される（S３）。カメ
ラ１０３による機械読取領域の撮影画像は制御部１０４に送られて処理され、その情報が
キーとなる（Ｓ４）。ＩＣリーダライタ１０８は制御部１０４からのキーを使用してＩＣ
が設けられた冊子４０４の機械読取領域４０１とは同じ頁側にあるＩＣ４０２から無線ア
ンテナ１０５を通じて、情報を読取る（S５）。通信インターフェイス１１３は読取った
ＩＣ４０２の情報を制御部１０４より上位装置に送信する（S６）。上位装置では送信さ
れた情報を画面上に表示する（S７）。
【００２９】
本実施例によれば、無線アンテナ１０５が情報媒体載置部１０７の両載置面から等しい
距離の部分に設置されているので、ＩＣが設けられた冊子のＩＣの組み込み頁に関係なく
、単一の操作で冊子のＩＣ情報を読み取ることが可能である。また情報媒体載置部１０７
を山型の形状にすることで、冊子の自重で冊子が情報媒体載置部に密着するので、手操作
での押さえつけが不要になる。さらに情報媒体載置部が平面の場合には、冊子を最大に開
いた状態で載置する必要があるが、本実施例によれば冊子を半開状態で載置できるので装
置のサイズをコンパクトに出来る。
【００３０】
なお前記実施例では情報媒体載置部１０７の側面の形状を二等辺三角形としたが、台形
型形状等の変型形状にすることも可能であり、要は冊子の綴じ部を載置するための突出部
の構造であればよい。
【００３１】
すなわち、情報媒体載置部の側面の形状が台型形状の情報媒体載置部９０７を持つ情報
媒体読取装置の斜視図を図９に、台形形状の情報媒体載置部１００７の上部に情報媒体綴
じ部掛け１０００が設けられた情報媒体読取装置の斜視図を図１０に、それぞれ示す。
【００３２】
冊子に折れ癖等が付き、開いたときに冊子の端が開いてしまう等の事例において、有効
な形状として図９に示す側面の形状が台型形状の情報媒体載置部９０７や図１０に示す情
報媒体綴じ部掛け１０００を有する情報媒体載置部１００７を示す。
【００３３】
図９に示す側面の形状が台型形状の情報媒体載置部９０７や図１０に示す情報媒体綴じ
部掛け１０００を有する情報媒体載置部１００７への冊子を載置は、冊子を載置した時の
形に冊子の綴じ部付近つまり情報媒体載置部頂点近傍での載置面をなく、冊子の閉じよう
とする力による反発を抑える事が出来、正しく機械読取領域を読取る事が出来る。
【００３４】
また、情報媒体載置部９０７、１００７を有する情報媒体読取装置も冊子すべり止め部
材１１２を持つ。これにより冊子が滑るのを防ぐ。
【００３５】
なお冊子状の情報媒体に加えて、単票型のＩＣが設けられた証明書や、カード型の証明
書にも利用可能である。例として機械読取領域とＩＣを具備するカード１１４を載置した
場合の斜視図を図１１で示す。読取目的をカードと冊子両方とした場合にはスイッチの位
置を考慮することで、比較的大型である冊子と比較的小型であるカードを一つの機械で両
方読み取ることが出来る。
【００３６】
また機械読取領域の読取りについて、二次元のカメラのみならず、一次元のセンサを移
動させることにより読取る撮像手段を用いての応用も可能である。なお情報媒体すべり止
め部材１１２は本体部１０９に冊子の長手方向と同様の大きさの窪みを付ける事により、
窪みに冊子をはめ、すべり止めの役割を果たす形にする等の応用が可能である。
【００３７】
なお、前記の実施例ではスイッチとして冊子に押下されるタイプのものを用いて説明し
たが、冊子によって透過光を遮ることによって検出するセンサタイプのスイッチでも良い
。また必要に応じスイッチの数を増やす、又は減らす等の応用も可能である。また冊子す
べり止めに付す等の位置の変更も可能である。
【図面の簡単な説明】
【００３８】
【図１】本発明の一実施の形態である情報媒体読取装置の斜視図。
【図２】図１で示す（Ａ）方向からみた正面図。
【図３】本発明の一実施の形態である情報媒体読取装置を上方向から見た平面図。
【図４】本発明の一実施の形態である情報媒体読取装置の側面と平行となる断面図。
【図５】ＩＣが機械読取領域の設けられた頁と反対頁に設けられた冊子の斜視図。
【図６】ＩＣが機械読取領域の設けられた頁と同一頁に設けられた冊子の斜視図。
【図７】図１の情報媒体読取装置のブロック図。
【図８】図１の情報媒体読取装置の動作を示すフローチャート。
【図９】本発明の他の実施の形態である台形型の情報媒体載置部を持つ情報媒体読取装置の斜視図。
【図１０】本発明のさらに他の実施の形態である台形形状の情報媒体載置部の上部に情報媒体綴じ部掛けが設けられた情報媒体読取装置の斜視図。
【図１１】カード載置時の外観を表す情報媒体読取装置の斜視図。
【符号の説明】
【００３９】
１０１  読取窓
１０２ａ、１０２ｂ、１０２ｃ  スイッチ
１０３  カメラ
１０４  制御部
１０５  無線アンテナ
１０６  ＩＣリーダライタ処理部
１０７、９０７、１００７  情報媒体載置部
１０８  ＩＣリーダライタ
１０９  本体部
１１０  電源部
１１１  情報媒体位置決め部材
１１２  情報媒体すべり止め部材
１０００  情報媒体綴じ部掛け
【図１】
2008148211.tif 000003
【図２】
2008148211.tif 000004
【図３】
2008148211.tif 000005
【図４】
2008148211.tif 000006
【図５】
2008148211.tif 000007
【図６】
2008148211.tif 000008
【図７】
2008148211.tif 000009
【図８】
2008148211.tif 000010
【図９】
2008148211.tif 000011
【図１０】
2008148211.tif 000012
【図１１】
2008148211.tif 000013